(57)【特許請求の範囲】
【請求項１】
無線通信を行う通信装置を備えた電子天秤であって，
校正重量の計量を行った校正データと校正者の識別情報とを対応づけて校正データ記憶部に記憶させる校正処理部と，
無線通信により前記通信装置を介して前記電子天秤と接続した外部機器から，校正データの取得要求を受け付けると，前記校正データ記憶部に記憶した校正データを抽出し，前記抽出した校正データとそれに対応する校正者の識別情報とを画像データに変換して前記外部機器に送信する外部表示処理部と，
を備えることを特徴とする電子天秤。
【請求項２】
前記電子天秤は，
被計量物の重量を計量して計量データとして，計量データ記憶部に記憶させる計量処理部，を備えており，
前記外部表示処理部は，
前記外部機器から，被計量物の計量データの取得要求を受け付けると，前記計量データ記憶部に記憶した計量データを抽出し，その計量データを記載した所定の表示形式に変換して前記外部機器に送信する，
ことを特徴とする請求項１に記載の電子天秤。
【請求項３】
前記計量処理部は，
前記外部機器から計量データの保存要求を受け付けると，被計量物の重量を所定間隔ごとに計量して計量データとして，計量データ記憶部に記憶させ，
前記外部表示処理部は，
前記外部機器から，被計量物の計量データの取得要求と取得範囲とを受け付けると，前記計量データ記憶部に記憶した各計量データのうち前記取得範囲の計量データを抽出し，抽出した各計量データを記載した所定の表示形式に変換して前記外部機器に送信する，
ことを特徴とする請求項２に記載の電子天秤。
【請求項４】
前記通信装置は，ＤＨＣＰ機能を有するアクセスポイントであって，
前記外部機器からの接続要求に対してＩＰアドレスを割り当てることにより，前記外部機器と前記電子天秤との間で無線通信により直接，接続を確立する，
ことを特徴とする請求項１から請求項３のいずれかに記載の電子天秤。
【発明の詳細な説明】
【技術分野】
【０００１】
本発明は，無線通信機能を備えた電子天秤に関する。
【背景技術】
【０００２】
電子天秤をはじめとして，計量装置は定期的に校正を行うことが求められており，その校正データの履歴を保存する必要がある。従来は，校正をするたびに校正データを印字し，それに校正者の署名を記すことで，校正データとして保存をしていた。そのため，印刷した校正データの紙を保存，管理しておかなければならず，その紙を破損，紛失等すると，校正データを証明できなくなっていた。【０００３】
一方，計量装置に通信手段を備えることによって，コンピュータなどの外部機器に，計量装置からデータを送信し，外部機器でデータを保存，管理することが行われている。そしてこの際に，有線通信を用いるほか，無線通信も用いられている（特許文献１乃至特許文献３）。【０００４】
そこで，計量装置に備えた通信手段を利用して外部機器に校正データを送信し，外部機器で校正データとして保存，管理することで，従来のように，校正データの紙を保存，管理することの負担を軽減することが行われている（特許文献４，特許文献５）。
【先行技術文献】
【特許文献】
【０００５】
【特許文献１】特開２００３−２９４５２２号公報
【特許文献２】特開２００４−３４０８１１号公報
【特許文献３】特開２００７−７１５９７号公報
【特許文献４】特開平１０−９６６６４号公報
【特許文献５】特開２００８−１７５５９９号公報
【発明の概要】
【発明が解決しようとする課題】
【０００６】
しかし，校正データを外部機器で保存，管理する場合，計量装置から外部機器に校正データそのものを送信するので，外部機器を操作して，管理する校正データを改ざんすることが可能である。そのため，品質管理，品質保証として問題がある。
【課題を解決するための手段】
【０００７】
そこで本発明者は上記課題を解決するため，本発明をした。【０００８】
第１の発明は，無線通信を行う通信装置を備えた電子天秤であって，校正重量の計量を行った校正データと校正者の識別情報とを対応づけて校正データ記憶部に記憶させる校正処理部と，無線通信により前記通信装置を介して前記電子天秤と接続した外部機器から，校正データの取得要求を受け付けると，前記校正データ記憶部に記憶した校正データを抽出し，前記抽出した校正データとそれに対応する校正者の識別情報とを画像データに変換して前記外部機器に送信する外部表示処理部と，を備える電子天秤である。
【０００９】
本発明のように構成することで，校正データそのものを外部機器に送信せず，校正データが記載された所定の表示形式で外部機器に表示させることが可能となるので，外部機器を操作することによる校正データの改ざんを防止でき，品質管理，品質保証の精度が高まることとなる。【００１０】
上述の発明において，前記電子天秤は，被計量物の重量を計量して計量データとして，計量データ記憶部に記憶させる計量処理部，を備えており，前記外部表示処理部は，前記外部機器から，被計量物の計量データの取得要求を受け付けると，前記計量データ記憶部に記憶した計量データを抽出し，その計量データを記載した所定の表示形式に変換して前記外部機器に送信する，電子天秤のように構成することができる。
【００１１】
校正データだけではなく計量データを外部機器で保存，管理する場合であっても，計量データそのものの改ざんの可能性がある。そこで本発明のように構成することで，計量データそのものの改ざんを防止することができる。【００１２】
上述の発明において，前記計量処理部は，前記外部機器から計量データの保存要求を受け付けると，被計量物の重量を所定間隔ごとに計量して計量データとして，計量データ記憶部に記憶させ，前記外部表示処理部は，前記外部機器から，被計量物の計量データの取得要求と取得範囲とを受け付けると，前記計量データ記憶部に記憶した各計量データのうち前記取得範囲の計量データを抽出し，抽出した各計量データを記載した所定の表示形式に変換して前記外部機器に送信する，電子天秤のように構成することができる。
【００１３】
被計量物の計量を一定期間行う場合，所定期間の計量データを，逐次，計量装置が外部機器に送信し，外部機器で計量データのログを記憶，管理するのではなく，計量装置ですべての計量データの記憶し，終了後に計量データをまとめて取得する本発明の構成とすることによって，無線通信でたびたび発生する計量データの欠落の問題を防止することができる。【００１４】
上述の発明において，前記通信装置は，ＤＨＣＰ機能を有するアクセスポイントであって，前記外部機器からの接続要求に対してＩＰアドレスを割り当てることにより，前記外部機器と前記電子天秤との間で無線通信により直接，接続を確立する，電子天秤のように構成することができる。
【００１５】
本発明の構成を採ることによって，データの無線通信に関する設定の手間を大幅に軽減することができる。
【発明の効果】
【００１６】
本発明の計量装置を用いることによって，校正データそのものを外部機器に送るのではなく，外部機器に対して，校正データをウェブページなど所定の形式に変換して送信することで，外部機器でそれを表示させることとなり，校正データの改ざんを防止することができる。
【図面の簡単な説明】
【００１７】
【図１】本発明の概要を模式的に示す図である。
【図２】本発明の計量装置の構成の一例を模式的に示す図である。
【図３】本発明の計量装置の処理機能の一例を模式的に示す図である。
【図４】本発明の計量装置を用いた処理プロセスの一例を示すフローチャートである。
【図５】本発明の計量装置を用いた処理プロセスの一例を示すフローチャートである。
【図６】外部機器で計量装置への無線ＬＡＮの設定を行う場合の画面の一例である。
【図７】外部機器における操作画面の一例である。
【図８】外部機器における校正データ表示画面の一例である。
【図９】外部機器における計量データ表示画面の一例である。
【図１０】時系列的に計量データを記憶した場合の計量データ記憶部の概念図の一例である。
【図１１】時系列的に計量データを表示する場合の，外部機器における計量データ表示画面の一例である。
【発明を実施するための形態】
【００１８】
本発明の概要を模式的に図１に示す。また，本発明における計量装置１の構成の一例を図２に，その処理機能の一例を図３に示す。
【００１９】
本発明の計量装置１は，電子天秤などのように計量をする装置であって，計量装置１における所定の制御処理を実行するＣＰＵなど演算装置７０と，データを記憶するＲＡＭやＲＯＭなどの記憶装置７１と，計量装置１に対する操作入力を行う入力装置７２と，計量装置１において表示を行うＬＣＤや有機ＥＬなどによる表示装置７３と，外部機器２と無線通信を行う通信装置７４とを有する。表示装置７３はタッチパネル式であってもよく，その場合には表示装置７３が入力装置７２も兼ねることとなる。通信装置７４は，ＤＨＣＰ機能を備えたアクセスポイントであって，外部機器２と無線通信による通信を行う。通信装置７４としては，アクセスポイントモードを有するＷｉ−Ｆｉモジュールなどを用いることができるが，それに限定されるものではない。なお，計量装置１では，被計量物を載置する秤量皿などの，通常，計量装置１が備える装置も備えている。
【００２０】
外部機器２は計量装置１と無線通信による接続が可能な装置であり，たとえばスマートフォンやタブレット型コンピュータなどの可搬型通信端末２ａ，パーソナルコンピュータ２ｂなどが該当する。
【００２１】
計量装置１ではその処理機能として，計量処理部１１と計量データ記憶部１２と校正処理部１３と校正データ記憶部１４と外部表示処理部１５とを有している。すなわち各処理部は制御装置においてその処理を実行し，データは各記憶部１２，１４における記憶装置７１に記憶する。
【００２２】
計量処理部１１は，計量装置１の秤量皿に載置した被計量物の重量を測定し，測定した値を計量データとして，後述する計量データ記憶部１２に記憶させる。測定した値はＡ／Ｄ変換して計量データとして記憶する。
【００２３】
計量データ記憶部１２は，記憶装置７１において，計量処理部１１で取得した計量データを記憶，管理する。
【００２４】
校正処理部１３は，計量装置１の入力装置７２で所定の操作を受け付けることによって校正モードになった計量装置１について，秤量皿に載置された内蔵分銅または外部分銅を用いて，校正重量の計量を行い，計量した校正重量を校正データとして，後述する校正データ記憶部１４に記憶させる。測定した校正重量はＡ／Ｄ変換して校正データとして記憶する。
【００２５】
校正データ記憶部１４は，校正処理部１３で取得した校正データを，記憶装置７１において記憶，管理する。
【００２６】
外部表示処理部１５は，計量装置１が外部機器２と無線通信による接続の確立後，校正データの取得要求を受け付けた場合に，校正データ記憶部１４に記憶する校正データを抽出して，たとえばＨＴＭＬなどによるウェブページなどの所定の形式に変換し，接続を確立している外部機器２に送信する。
【００２７】
また外部表示処理部１５は，計量装置１が外部機器２と無線通信による接続の確立後，計量データの取得要求を受け付けた場合に，計量データ記憶部１２に記憶する計量データを抽出して，たとえばＨＴＭＬなどによるウェブページなどの，所定の形式に変換し，その外部機器２に送信する。
【００２８】
なお，抽出した計量データ，校正データについては，それらを画像データに変換した上で，その画像データを含むＨＴＭＬ形式などによるウェブページなどを外部機器２に送信することもできる。たとえば，後述する校正データ表示画面（図８）の校正データを含むａ領域，計量データ表示画面（図９）の計量データを含むｂ領域を画像データに変換した上で，ａ領域，ｂ領域の画像データを含むウェブページとして外部機器２に送信することもできる。
【実施例１】
【００２９】
まず，計量装置１での校正データの取得を行う場合の本発明における処理プロセスの一例を図４のフローチャートを用いて説明する。【００３０】
計量装置１の校正を行う場合には，計量装置１における入力装置７２で所定の操作を行うことで，校正モードに設定する（Ｓ１００）。校正モードの設定により，校正処理部１３が起動する。そして計量装置１の秤量皿に内蔵分銅または外部分銅を載置し，校正重量の計量を行う（Ｓ１１０）。【００３１】
校正処理部１３は計量した校正重量についてＡ／Ｄ変換をして校正データとして校正データ記憶部１４に記憶させる（Ｓ１２０）。この際に，校正処理部１３は，校正日時，校正処理を行った校正者の氏名，社員番号などの識別情報などの入力を受け付けて，校正データに必要な情報を対応付けて記憶させる。【００３２】
校正データが必要な場合には，計量装置１における入力装置７２で所定の操作を行うことで通信装置７４を起動させ，外部機器２との無線通信による接続を可能とさせる。そして，外部機器２での所定の操作を行うことで，計量装置１との間で無線通信による接続を確立する（Ｓ１３０）。計量装置１の通信装置７４はＤＨＣＰ機能を備えたアクセスポイントであるので，外部機器２から計量装置１に対して接続要求が行われることで，外部機器２に対してＩＰアドレスを割り当てるなどして，いわゆる無線ＬＡＮと同様に通信の接続を確立する。なお，外部機器２が計量装置１における無線通信を検知することによって，計量装置１と外部機器２との間で何らの操作を要さずに，接続を確立しても良い。【００３３】
Ｓ１３０における計量装置１の通信装置７４と外部機器２との無線通信による接続の確立は，後述するＳ１４０の処理の前で行われていれば良い。また，計量装置１の通信装置７４と外部機器２とが無線通信による接続の確立を行う場合，ＳＳＩＤとそのパスワード，またはＳＳＩＤのみ（パスワードを要求しない）を事前に計量装置１の通信装置７４に登録しておき，ＳＳＩＤ，またはＳＳＩＤとそのパスワードを外部機器２から入力を受け付けることで，認証処理を実行しても良い。図６に，計量装置１と外部機器２との間で無線通信での接続の確立を最初に行う場合の，設定画面の一例を模式的に示す。図６では，計量装置１の通信装置７４のＳＳＩＤとパスワードを外部機器２において入力することで認証処理を実行する場合を示す。なお，ＳＳＩＤとは，無線ＬＡＮなどによるアクセスポイントまたはネットワークの識別名である。【００３４】
ユーザは，外部機器２で所定の操作を行うことで，図７に示す，計量装置１に対する操作画面を表示する。操作画面はたとえばＨＴＭＬ形式で作成されたウェブページとして，ウェブブラウザで表示される。そして操作画面における「校正データの取得」の選択を受け付けると，外部機器２から計量装置１に対して，校正データの取得要求が送られる。この取得要求を計量装置１の通信装置７４を介して外部表示処理部１５で受け付けると（Ｓ１４０），外部表示処理部１５は，校正データ記憶部１４に記憶する校正データを抽出する。そして，抽出した校正データについて，ＨＴＭＬ形式などによるウェブページに変換する（Ｓ１５０）。図８が変換後のウェブページの一例である。なおＨＴＭＬ形式によるウェブページ以外にも，ＰＤＦ形式など，外部機器２で表示可能な形式であれば制限されない。【００３５】
そして外部表示処理部１５は，校正データが記載されたウェブページを通信装置７４を介して，計量装置１から外部機器２に送信する（Ｓ１６０）。そして外部機器２では，そのウェブページを受信し，外部機器２のウェブブラウザなどを用いて表示する。すなわち図８のウェブページを外部機器２に表示する。これによって，計量装置１の校正データを確認することができる。
【実施例２】
【００３６】
つぎに，計量装置１で被計量物を計量しているときに計量データの取得を行う場合の本発明における処理プロセスの一例を図５のフローチャートを用いて説明する。【００３７】
計量装置１で被計量物を計量したときの計量データを外部機器２で取得することを所望する場合，計量装置１における入力装置７２で所定の操作を行うことで通信装置７４を起動させ，外部機器２との無線通信による接続を可能とさせる。そして，外部機器２での所定の操作を行うことで，外部機器２から計量装置１に対して接続要求が行われることで，計量装置１との間で無線通信による接続を確立する（Ｓ２００）。計量装置１と外部機器２との無線通信による接続の確立は，実施例１と同様に行える。なお，外部機器２が計量装置１における無線通信を検知することによって，計量装置１と外部機器２との間で何らの操作を要さずに，接続を確立しても良い。【００３８】
そして計量装置１で被計量物の計量を行う場合には，計量装置１における入力装置７２で所定の操作を行うことで，計量モードに設定する（Ｓ２１０）。計量モードの設定により，計量処理部１１が起動する。そして計量装置１の秤量皿に被計量物を載置し，被計量物の計量を行う（Ｓ２２０）。【００３９】
計量処理部１１は計量した被計量物の重量についてＡ／Ｄ変換をして計量データとして計量データ記憶部１２に記憶させる（Ｓ２３０）。【００４０】
ユーザは，外部機器２で所定の操作を行うことで，図７に示す，計量装置１に対する操作画面を表示する。そして操作画面における「計量データの取得」の選択を受け付けると，外部機器２から計量装置１に対して，計量データの取得要求が送られる。この取得要求を計量装置１の通信装置７４を介して外部表示処理部１５で受け付けると（Ｓ２４０），外部表示処理部１５は，計量データ記憶部１２に記憶する計量データを抽出する。そして，抽出した計量データについて，ＨＴＭＬ形式などによるウェブページに変換する（Ｓ２５０）。図９が変換後のウェブページの一例である。なおＨＴＭＬ形式によるウェブページ以外にも，ＰＤＦ形式など，外部機器２で表示可能な形式であれば制限されない。【００４１】
そして外部表示処理部１５は，計量データが記載されたウェブページを通信装置７４を介して，計量装置１から外部機器２に送信する（Ｓ２６０）。そして外部機器２では，そのウェブページを受信し，外部機器２のウェブブラウザなどを用いて表示する。すなわち図９のウェブページを外部機器２に表示する。これによって，計量装置１で計量した被計量物の計量データを，外部機器２で取得，確認することができる。【００４２】
外部機器２からの計量データの取得要求を受け付けた場合のほか，外部表示処理部１５は，あらかじめ定められた設定時間ごとに，計量データ記憶部１２に記憶する計量データを抽出し，抽出した計量データについての，ＨＴＭＬ形式によるウェブページへの変換処理を行ってもよい。そして，外部表示処理部１５は，計量データが記載されたウェブページを通信装置７４を介して，計量装置１から外部機器２に送信する。【００４３】
以上のような構成を備えることで，計量装置１での計量データを，外部機器の操作時や設定時間ごとに，外部機器２で更新して取得，確認することができる。【００４４】
なお実施例２の別の実施態様として，被計量物の重量が時間経過とともに変化する場合であって，その重量の変化を計量したい場合もある。そのような場合には，計量装置１と外部機器２との間で無線通信による接続の確立後，ユーザが外部機器２で所定の「保存開始」の操作を行うことで，保存開始の要求が外部機器２から計量装置１に送られる。そして，計量装置１の通信装置７４を介して計量処理部１１でこの要求を受け付けると，計量装置１の計量処理部１１が所定時間ごとに被計量物の計量を行い，その計量データを日時情報とともに計量データ記憶部１２に記憶させる。そして，計量の保存を終了する場合，ユーザが外部機器２で所定の「保存終了」の操作を行うことで，保存終了の要求が外部機器２から計量装置１に送られる。そして，計量装置１の通信装置７４を介して計量処理部１１でこの要求を受け付けると，計量処理部１１は，計量を終了する。図１０に，「２０１６年７月６日１２時００分００秒」から「２０１６年７月６日２０時００分００秒」までの間，被計量物の計量データを記憶する計量データ記憶部１２の概念図の一例を示す。【００４５】
そして，ユーザが外部機器２で所定の「計量データの取得」の操作をすることで，計量装置１で計量した時系列に沿った計量データの取得要求を行うと，外部機器２から計量装置１に対して計量データの取得要求が送られる。この取得要求の際には，取得する計量データの範囲を示す，取得対象期間の日時情報や「すべて」などが合わせて送られていると良い。【００４６】
この取得要求を計量装置１の通信装置７４を介して外部表示処理部１５で受け付けると，外部表示処理部１５は，計量データ記憶部１２に記憶する，取得対象期間の各計量データを抽出する。そして，抽出した各計量データについて，ＨＴＭＬ形式などによるウェブページに変換する。たとえば抽出した計量データが図１０であったとすると，図１１に示すようなウェブページに変換する。そして外部表示処理部１５は，計量データが記載されたウェブページを通信装置７４を介して，計量装置１から外部機器２に送信する。そして外部機器２では，そのウェブページを受信し，外部機器２のウェブブラウザなどを用いて表示する。すなわち図１１のウェブページを外部機器２に表示する。これによって，計量装置１で計量した被計量物の計量データを，外部機器２で取得，確認することができる。【００４７】
なお，本実施態様の場合，外部表示処理部１５が外部機器２から計量データのダウンロード要求を受け付けた場合には，外部表示処理部１５は，計量データ記憶部１２に記憶する，取得対象期間の各計量データを抽出したあと，ＨＴＭＬ形式などによるウェブページに変換することなく，抽出した計量データをそのまま外部機器２に送信するようにしても良い。
【産業上の利用可能性】
【００４８】
本発明の計量装置１を用いることによって，校正データそのものを外部機器２に送るのではなく，外部機器２に対して，校正データをウェブページなど所定の形式に変換して送信することで，外部機器２でそれを表示させることとなり，校正データの改ざんを防止することができる。
【符号の説明】
【００４９】
１：計量装置
２：外部機器
１１：計量処理部
１２：計量データ記憶部
１３：校正処理部
１４：校正データ記憶部
１５：外部表示処理部
７０：演算装置
７１：記憶装置
７２：入力装置
７３：表示装置
７４：通信装置
【図１】
0006595111.tif 000002
【図２】
0006595111.tif 000003
【図３】
0006595111.tif 000004
【図４】
0006595111.tif 000005
【図５】
0006595111.tif 000006
【図６】
0006595111.tif 000007
【図７】
0006595111.tif 000008
【図８】
0006595111.tif 000009
【図９】
0006595111.tif 000010
【図１０】
0006595111.tif 000011
【図１１】
0006595111.tif 000012